(57)【要約】【課題】襖障子、明障子などの建物の開口部を開閉する引戸用手摺の提供を目的とする。【解決手段】第１の手摺本体に第２の手摺本体が入れ子式をなす引戸用手摺において、引戸用手摺の取付け支持部材を回動可能な支持部材や、上下方向に移動可能な支持部材や、水平方向に移動可能な支持部材のいずれかを含むことを特徴とする引戸用手摺である。高齢者や足腰が不自由で手や腕の力の弱くなっている人たちにとっても、引戸用手摺が付いている引戸や引き違い引戸の開閉が滑らかに軽く開閉できて、歩行時の手助けとなり便利で安全である。【選択図】  図１
2006188828.tif 000002
【特許請求の範囲】
【請求項１】
一方の手摺に他方の手摺が嵌入して入れ子式をなす引戸用手摺において、水平方向に保持された引戸用手摺を上下方向に移動させうる支持部材を含むことを特徴とする引戸用手摺。
【請求項２】
一方の手摺に他方の手摺が嵌入して入れ子式をなす引戸用手摺において、水平方向に保持された引戸用手摺を引戸の厚さ方向に移動させうる支持部材を含むことを特徴とする引戸用手摺。
【請求項３】
一方の手摺に他方の手摺が嵌入して入れ子式をなす引戸用手摺において、前記他方の手摺が嵌入する前記一方の手摺の開口部内に軸受部材を内設されたことを特徴とする引戸用手摺。
【請求項４】
相対向して配設された一対の引き違い引戸に、一方の手摺に他方の手摺が嵌入して入れ子式をなす引戸用手摺を対向して水平方向に付設し、夫々召合せ寄りの中間部に前記引戸用手摺を上下方向に移動させうる支持部材を含むと共に、前記一方の手摺に嵌入する前記他方の手摺の抜け防止構造を備えたことを特徴とする引戸用手摺。
【発明の詳細な説明】
【技術分野】
【０００１】
本発明は、襖障子や、明障子や、建物の開口部を開閉する建具や履物箱などのキャビネットの開閉を行う引戸に用いられる引戸用手摺に関するものである。
【背景技術】
【０００２】
住宅等では、高齢者や足腰が不自由な人のために、歩行時の手助けとなり安全性を高めるため、通路に面した壁や扉や戸に手摺を設ける必要性があり、従来から、引戸について種々の引戸用手摺が提案されている。
【０００３】
例えば、引き違い引戸については、特開平８−１５８７５９号公報や特開平１０−９６３７５号公報が開示されており、単なる引戸についても、特開平１１−６２１５３号公報等が開示されている。これ等においてパイプ状の一方の手摺の中に、その先端部が相対摺動可能に入れ子状に挿入されている他方の手摺を有してなる引戸用手摺が、引戸に付設されていて、引戸の開閉に従って引戸用手摺が摺動自在に動作し、高齢者や足腰が不自由な人がつかまったり、寄りかかったりして、歩行時の手助けとなり安全性を高めているものであった。
【特許文献１】特開平８−１５８７５９号公報
【特許文献２】特開平１０−９６３７５号公報
【特許文献３】特開平１１−６２１５３号公報
【発明の開示】
【発明が解決しようとする課題】
【０００４】
ところで、引戸用手摺を必要とする高齢者の長年住み慣れた住宅等では、建築後数十年というように老朽化しているのが一般的であり、従来提案されている引戸用手摺をこれらの老朽化した一般住宅の引戸に適用しようとすると種々の不具合があった。即ち、老朽化している住宅の歪みや変形や磨耗等や、敷居の中央部分が下方に下がっていたり（或いはその逆に敷居の中央部分が上方に上がっていたり）して引戸が傾いていたり、引戸の厚さ方向の間隔が開いたりしていて、取付けられる従来の引戸用手摺に曲がり等の変形力が加わり、相対摺動可能な入れ子状に挿入されてなる引戸用手摺の動作が滑らかでなく、高齢者や足腰が不自由で手や腕の力の弱くなっている人たちにとって、引戸の開閉が渋くて不便であった。その他、従来統一の建築規格が存在していなかった時代に建てられた家屋の引戸だったり、その地方独特の家屋形式の引戸であったり、同じ一軒の家においても引戸の厚さが異なっていたりした。そのために、引戸用手摺において多種類の品揃えが必要であり高価な引戸用手摺となっていた。
【０００５】
これを図面に従って説明する。図１０は従来の引き違い引戸に引戸用手摺を取付けた平面図（一部を破断）を示す。図１１は、図１０の平面図に対応する正面図を示す。廊下３０と室内３１との境界の側壁３２の開口３３に、敷居３４と鴨居３５との間に引き違い引戸２１が配置され、この引き違い引戸２１に引戸用手摺１が付設されている。前記引き違い引戸２１は、前記廊下３０側の前記第１の引戸２２と前記室内３１側の前記第２の引戸２３とにより構成されている。そして、前記第１の引戸２２に一方の第１の手摺２が、前記第２の引戸２３に他方の第２の手摺３が夫々取付け保持されている。前記引戸用手摺１は前記一方の第１の手摺２に前記他方の第２の手摺３が嵌入して相対摺動可能な入れ子式をなしている。
【０００６】
前記廊下３０側の前記第１の引戸２２に前記引戸用手摺１の前記一方の第１の手摺２が、その右方の一端部においては第１の支持部材８４により、その左方他端部においては第２の支持部材８５により夫々取付け保持されている。そして前記室内３１側の前記第２の引戸２３の左方表面（廊下３０側に向かっている面）に第３の支持部材８６により前記他方の第２の手摺３の左方他端部が取付け保持されている。更に、この他方の第２の手摺３の右方の一端部は前記一方の第１の手摺２の左方他端部の開口部より、中空筒状（パイプ状）の前記一方の第１の手摺２内に相対摺動可能な入れ子式に挿入され、前記一方の第１の手摺２の左方他端部の外周部を介して第２の支持部材８５により、前記第１の引戸２２の左方端部の表面（廊下３０側に向かっている面）に水平に保持されている訳である。
【０００７】
図１１を参照して、前記したように老朽化している住宅の歪みや変形等により、前記敷居３４の中央部分が下方に下がっている場合に、前記引戸用手摺１の手摺部材軸中心から前記敷居３４の上面（図１１では前記敷居３４の上面とするが、第１の案内レール又は第１の敷居溝３４Ａ、或いは第２の案内レール又は第２の敷居溝３４Ｂの上面としてもよい。）までの距離を考える。即ち、前記引き違い引戸２１の右方（右方側壁３２側）及び左方（左方側壁３２側）での、前記引戸用手摺１の手摺部材軸中心から前記敷居３４上面までの夫々の距離をＨとすると、前記引き違い引戸２１の召合せ部分（閉鎖状態の引き違い引戸２１の縁と縁とが相出会い重なり合う中央部分）寄りの前記引戸用手摺１の手摺部材軸中心から前記敷居３４上面までの距離は、Ｈ＋ｈ（ｈは前記敷居３４の中央部分の下がり量（又は上がり量、このときｈは負の値となる。））となる。言わば、老朽化のために前記敷居３４が中央凹の中だるみ状態（又は中央凸状態）となり、前記引き違い引戸２１を構成する前記第１の引戸２２や前記第２の引戸２３は、略片仮名のハ字形状（或いは略片仮名の逆ハ字形状）に傾きが発生する。
【０００８】
即ち、前記引き違い引戸２１を構成する前記第１の引戸２２や前記第２の引戸２３が、略片仮名のハ字形状（或いは略片仮名の逆ハ字形状）に傾いて、前記引戸用手摺１の手摺部材軸中心から前記敷居３４上面までの夫々の距離をＨとなるように前記引き違い引戸２１に前記引戸用手摺１を単に機械的に取り付け付設されているとすると、前記第１の支持部材８４と、前記第２の支持部材８５と、前記第３の支持部材８６とにより水平方向に付設されている。前記引戸用手摺１に下方に凹（又は上方に凸）状に曲げ力が作用する。これにより、前記引き違い引戸２１に下方からＨの寸法位置に取付けてある前記引戸用手摺１には、左右長手方向の中央部が下方に凹状態（或いは上方に凸状態）に曲がる方向に（前記第１の引戸２２や前記第２の引戸２３の重さや摩擦力に起因する）変形力が加わることになる。このために相対摺動可能な入れ子式に挿入されてなる引戸用手摺１の動作が滑らかでなくなり、高齢者や足腰が不自由で手や腕の力の弱くなっている人たちによる、引戸の開閉が渋くて不便であった。
【０００９】
その他に、従来の前記引戸用手摺１を採用して引き違い引戸２１に取り付ける場合に、同じ種類の引戸や障子でも、日本国内の各地方により引戸の厚さが異なっていたり、また同じ地方でも例えば襖障子や、明障子や、履物箱などのキャビネットの開閉を行う引戸等、引戸の種類が多く、各々その引戸の統一規格が無く引戸の厚さ寸法が異なっているために、図に示すように、前記廊下３０と前記室内３１との境界の前記側壁３２の前記開口３３に前記引き違い引戸２１を配置し、この引き違い引戸２１に前記引戸用手摺１が付設されていて、前記引戸用手摺１の手摺部材軸中心から前記第１の引戸２２の表面までの距離Ｗ１と、前記引戸用手摺１の手摺部材軸中心から前記第２の引戸２３の表面までの距離Ｗ２とにおいて、次のような関係を考える、即ち、Ｗ２−Ｗ１＝（引戸厚さＷ＋第１、第２の引戸間の隙間量ｗ）である。ここで第１、第２の引戸間の隙間量ｗは約１〜３ミリメートル位でほぼ一定であるが、日本工業規格等存在しなかった以前には、引戸の厚さに統一規格が無く、引戸厚さＷは一定ではなかった。このようなことにより、従来の引戸用手摺１を引き違い引戸２１に付設するには、その都度、引戸厚さＷを加味した（Ｗ＋ｗ）の寸法を確保するために、これに合った第３の支持部材８６を用意しなければならずコスト高となり不便であった。本発明は、これらの欠点を解決するためになされたものである。
【課題を解決するための手段】
【００１０】
請求項１では、一方の第１の手摺に他方の第２の手摺が嵌入して入れ子式をなす引戸用手摺において、水平方向に保持されたこの引戸用手摺を上下方向に平行移動させうる支持部材を含む引戸用手摺である。本発明の引戸用手摺は、新築住宅に採用しても勿論よいが、老朽化している一般住宅に採用してもよい。入れ子式の引戸用手摺を老朽化した住宅の引戸や引き違い引戸に付設された場合に、引戸用手摺の左右両端部と、引戸や引き違い引戸の召合せ寄りの中間部近傍とにより、夫々支持部材により水平方向に３点支持されて、引戸や引き違い引戸に付設されている。老朽化により敷居の中間部が上方向（或いは下方向）に変形する。この敷居に配設された引戸は傾斜するから、単に機械的に引戸の下方からＨの寸法位置に支持部材に取付けられた引戸用手摺には、敷居の左右長手方向の中央部が下方に凹状態の（Ｈ＋ｈ）寸法（或いは上方に凸状態の（Ｈ−ｈ）の寸法）に曲げようとする変形力が加わる。この時に、引戸や引き違い引戸の召合せ寄りの３点支持での中間点の支持部材が上又は下のいずれかの方向に平行移動可能とする構成になっていて、前記引戸用手摺１が直線性を保てるように上又は下のいずれかの方向に中間支持点を平行移動させうる。このために相対摺動可能な入れ子式に挿入されてなる引戸用手摺の動作は滑らかに保たれ、この引戸用手摺が付設されている引戸や引き違い引戸の開閉も滑らかに軽く開閉できて、高齢者や足腰が不自由で手や腕の力の弱くなっている人たちにとっても、歩行時の手助けとなり安全で便利である。
【００１１】
更に、請求項１の本発明による上下方向に平行移動させうる中間支持点の支持部材において、断面略逆Ｔ字形突状部に案内されている断面略逆Ｃ字形のチャンネル部材により、引戸用手摺に人がつかまり寄りかかった場合等に、この支持部材に力が加わっても、前記チャンネル部材が直方体部材に当接して、降下を阻止し一定寸法以下に押さえられるので、この引戸用手摺の変形を防止できるし、歩行者にとっても引戸や引き違い引戸の開閉が滑らかに軽く開閉できて、便利で安全である。
【００１２】
請求項２では、一方の第１の手摺に他方の第２の手摺が嵌入して入れ子式をなす引戸用手摺において、水平方向に保持された引戸用手摺を引戸の厚さ方向に平行移動させうる支持部材を含む引戸用手摺である。本発明では、新築住宅や家屋において、この引戸用手摺を引戸や引き違い引戸に採用してもよく、また従来統一された建築規格が存在していなかった時代に建てられた老朽化した家屋の引戸や、その地方独特の家屋形式の引戸や、同じ一軒の家においても引戸の厚さ寸法が異なっていても、水平方向に保持された引戸用手摺を引戸の厚さ方向に平行移動させうる支持部材の働きにより、引戸用手摺の手摺部材軸中心から第１の引戸の表面（引戸１枚の場合では取付け壁表面）までの距離Ｗ１と、引戸用手摺の手摺部材軸中心から第２の引戸の表面までの距離Ｗ２との関係の、Ｗ２−Ｗ１＝（引戸厚さＷ＋第１、第２の引戸間の隙間量ｗ）の関係式において、第１、第２の引戸間の隙間量ｗは約１〜３ミリメートル位でほぼ一定で、引戸厚さＷが変化する。このような引戸であっても、引戸用手摺を引戸の厚さ方向に平行移動させうる支持部材があればよい。よって、このように引戸の厚さが変化していても、引戸の厚さ方向に平行移動させうる支持部材を１種類用意しておけば多種類の引戸や引き違い引戸に引戸用手摺が付設可能であり、付設時に挟み金（シム）挿入使用するような、特別の調節等の作業も不必要であり、その取扱いも容易であり、安価な引戸用手摺を供給できる。
【００１３】
請求項３では、一方の第１の手摺に他方の第２の手摺が嵌入して入れ子式をなす引戸用手摺において、前記他方の第２の手摺が嵌入する一方の第１の手摺の開口部内に軸受部材を内設した引戸用手摺である。本発明によれば、一方の第１の手摺の開口部内面に摩擦抵抗を軽減する軸受部材を備えているので、他方の第２の手摺外表面と一方の第１の手摺内面との摺動する部分の摩擦抵抗が軽減され、相対摺動可能な入れ子式に挿入されてなる引戸用手摺の動作が滑らかとなり、高齢者や足腰が不自由で手や腕の力の弱くなっている人たちにとっても、引戸用手摺が付設されている引戸や引き違い引戸により、歩行時の手助けとなると共に引戸や引き違い引戸の開閉が滑らかに軽く開閉できて便利である。
【００１４】
請求項４では、相対向して配設された一対の引き違い引戸に、一方の手摺に他方の手摺が嵌入して入れ子式をなす引戸用手摺を対向して水平方向に付設し、召合せ寄りの中間部に前記引戸用手摺を上下方向に移動させうると共に、前記一方の手摺に嵌入する前記他方の手摺の抜け防止構造を備えた支持部材を配設した引戸用手摺である。
【００１５】
請求項４では、特に長い廊下に面した襖障子や明り障子に引戸用手摺を付設された引き違い引戸を配設できる。入れ子式の引戸用手摺を老朽化した住宅の引戸や引き違い引戸に付設した場合に、請求項１、請求項２、及び請求項３の特徴を備えている。即ち、請求項１と同様に、両端と中間の３点支持により水平方向に保持された引戸用手摺が付設されている引戸が、住宅の歪みや敷居の変形等によって上方向（或いは下方向）に傾き、単に機械的に下方からＨの寸法位置に取付けられた引戸用手摺に、敷居の左右長手方向の中間支持点が下方に凹状態の（Ｈ＋ｈ）寸法（或いは上方に凸状態の（Ｈ−ｈ）の寸法）に曲がる変形力が加わる時に、前記引戸用手摺が直線性を保てるように、上又は下のいずれかの方向に中間部の支持部材を平行移動可能な構成にして、前記引戸用手摺の中間支持部を平行移動させる。そして、平行移動可能とする断面略逆Ｔ字形突状部に案内されている断面略Ｃ字形のチャンネル部材により、引戸用手摺に人がつかまり寄りかかった場合等に、この支持部材に力が加わっても、前記チャンネル部材が直方体部材に当接して、降下を阻止し一定寸法以下に押さえられるので、この引戸用手摺の変形を防止できる。このために相対摺動可能な入れ子式に挿入されてなる引戸用手摺の動作は滑らかに保たれ、この引戸用手摺が付設されている長い廊下に面している引戸や引き違い引戸の開閉も滑らかに軽く開閉できて、高齢者や足腰が不自由で手や腕の力の弱くなっている人たちにとっても、歩行時の手助けとなり安全で便利である。
【００１６】
更に、請求項４では請求項２と同様に、特に長い廊下に面した襖障子や明り障子に付設した引戸用手摺を引戸の厚さ方向に平行移動させうる支持部材を採用しているので、引戸の厚さが変化していても、引戸の厚さ方向に平行移動させうる支持部材を１種類用意しておけば多種類の引戸や引き違い引戸に引戸用手摺が付設可能であり、付設時に挟み金（シム）挿入使用するような、特別の調節等の作業も不必要であり、その取扱いも容易であり、安価な引戸用手摺を供給できる。歩行者にとっても長い廊下に面した引戸や引き違い引戸の開閉が滑らかに軽く開閉できて、長い廊下を高齢者や手足の不自由な人達が安全に手摺につかまりながら、安全に歩行することができ便利である。
【００１７】
更に、請求項４では、請求項３と同様に、一方の第１の手摺に他方の第２の手摺が嵌入して入れ子式をなす引戸用手摺において、前記他方の第２の手摺が嵌入する一方の第１の手摺の開口部内に軸受部材を内設した引戸用手摺である。本発明によれば、一方の第１の手摺の開口部内面に摩擦抵抗を軽減する軸受部材を備えているので、他方の第２の手摺外表面と一方の第１の手摺内面との摺動する部分の摩擦抵抗が軽減され、相対摺動可能な入れ子式に挿入されてなる引戸用手摺の動作が滑らかとなり、高齢者や足腰が不自由で手や腕の力の弱くなっている人たちにとっても、引戸用手摺が付設されている引戸や引き違い引戸により、歩行時の手助けとなると共に引戸や引き違い引戸の開閉が滑らかに軽く開閉できて便利である。
【００１８】
請求項４では、前記したように請求項１、請求項２、及び請求項３の特徴を備えていると共に、本発明の第３の実施の形態として、相対向して配設された一対の引き違い引戸の召合せ寄りの中間部に前記引戸用手摺を上下方向に移動させうると共に、前記一方の手摺に嵌入する前記他方の手摺の抜け防止構造を備えた第４の支持部材を配設した引戸用手摺である。この第４の支持部材の第４の支持部材本体に止めねじが、第４のブッシュのねじ穴と第３の手摺の左方他端部近傍に設けられる穴と第４の手摺に設けられる溝とに嵌入して、中空筒状の第３の手摺から第４の手摺が抜け出ることを防止している。これにより嵌合状態が外れた場合の面倒な組立て作業をしなくともよいし、襖障子や明り障子に面した長い廊下を高齢者や手足の不自由な人達がつかまったり寄りかかっても前記第３の手摺に嵌入する前記第４の手摺の抜け防止構造が形成されているので、一方の第３の手摺から他方の第４の手摺が抜けることが無く引戸用手摺につかまりながら、長い廊下を安全に歩行することができる。勿論、前記引戸用手摺を廊下側でなく引き違い引戸の室内側にも付設可能であるので、室内を安全に歩行することもできる。
【００１９】
請求項４では、更に、本発明の第４の実施の態様として、この前記一方の手摺に嵌入する前記他方の手摺の抜け防止構造を引戸の召合せ寄りの引戸端面部に互いに対向するように、第１のストッパ部材６４と、第２ストッパ部材６５とを取付けて、引き違い引戸２１，６６を夫々閉じた場合に、引き違い引戸２１では第１、２の引戸２２，２３間が，引き違い引戸２６では第５、第６の引戸６７，６８間が互いに離れないように、第１のストッパ部材６４と第２ストッパ部材６５との、突出部６４Ａと６５Ａとが、互いに当接し合って前記制限具となり、前記一方の手摺に嵌入する前記他方の手摺の抜け防止構造を形成している。
【発明の効果】
【００２０】
本発明の引戸用手摺によれば、新築住宅に採用してもよいし、また、引戸用手摺を必要とする高齢者の長年住み慣れた、築数十年というような老朽化している一般住宅に採用してもよい。入れ子式の引戸用手摺を引戸や引き違い引戸に付設した場合に、水平方向に保持された引戸用手摺が、住宅の歪みや敷居の変形等によって上方向（或いは下方向）に変化しても、ここにおいて引戸用手摺を上下方向に平行移動させうる支持部材を備え、引戸に単に機械的に下方からＨの寸法位置に取付けられた引戸用手摺に、敷居の左右長手方向の中央部が下方に凹状態の（Ｈ＋ｈ）寸法（或いは逆に上方に凸状態の（Ｈ−ｈ）の寸法）に曲がろうとする変形力が加わる。この時に、前記引戸用手摺１が直線性を保つような上又は下のいずれかの方向に支持部材を平行移動させる。このために相対摺動可能な入れ子式に挿入されてなる引戸用手摺の動作は滑らかに保たれ、この引戸用手摺が付設されている引戸や引き違い引戸の開閉も滑らかに軽く開閉できて、高齢者や足腰が不自由で手や腕の力の弱くなっている人たちにとっても、引戸用手摺が付いている引戸や引き違い引戸の開閉が滑らかに軽く開閉できて、歩行時の手助けとなり便利で安全である。
【００２１】
更に、本発明によれば、上下方向に平行移動させうる支持部材において、断面略逆Ｔ字形突状部に案内されている断面略逆Ｃ字形のチャンネル部材により、引戸用手摺に人がつかまり寄りかかった場合等に、この支持部材に力が加わっても、チャンネル部材が直方体部材に当接して、降下を阻止し一定寸法以下に降下変形をしないので、引戸用手摺の伸縮自在の摺動も滑らかに保たれ、引戸用手摺の付設されている引戸や引き違い引戸の開閉も滑らかであり、歩行者にとって便利で安全である。
【００２２】
本発明によれば、水平方向に保持された引戸用手摺を引戸の厚さ方向に移動させうる支持部材の働きにより、新築住宅や家屋において引戸用手摺として引戸にも引き違い引戸にも採用してもよく、また従来統一の建築規格が存在していなかった時代に建てられた家屋の引戸だったり、その地方独特の家屋形式の引戸であったり、同一の家においても引戸の厚さ寸法が異なっていたりしていても、水平方向に保持された引戸用手摺を引戸の厚さ方向に移動させうる支持部材の働きにより、引戸用手摺の手摺部材軸中心から第１の引戸の表面（引戸１枚の場合では取付け壁表面）までの距離Ｗ１と、引戸用手摺の手摺部材軸中心から第２の引戸の表面までの距離Ｗ２との関係の、Ｗ２−Ｗ１＝（引戸厚さＷ＋第１、第２の引戸間の隙間量ｗ）の関係式において、第１、第２の引戸間の隙間量ｗは約１〜３ミリメートル位でほぼ一定で、引戸厚さＷが変化していた引戸であっても、水平方向に保持された引戸用手摺を引戸の厚さ方向に平行移動させうる支持部材により、一方の第１の引戸と他方の第２の引戸とが、建物の老朽化等の理由により互いに離れる方向に力が加わった場合や、色々な引戸の厚さに対応する場合にも中空パイプ状の第３の突状部材と突出棒部材との相対的の摺動自在の伸縮による働きにて寸法差を吸収できるために、引戸用手摺が曲がらず真直ぐに支持部材に支持されるので、引戸用手摺が滑らかに摺動でき、引戸や引き違い引戸が滑らかに開閉できる。よって、引戸の厚さが変化していても対応可能であり、引戸の厚さ方向に平行移動させうる支持部材を１種類用意しておけばよく、その取扱いも付設時に挟み金（シム）挿入等のような、特別な調節等も無く容易であり、安価な引戸用手摺を供給できる。
【００２３】
本発明によれば、一方の第１の手摺に他方の第２の手摺が嵌入して入れ子式をなす引戸用手摺において、前記他方の第２の手摺が嵌入する一方の第１の手摺の開口部内に軸受部材を内設した引戸用手摺である。本発明によれば、一方の第１の手摺の開口部内面に摩擦抵抗を軽減する軸受部材を備えているので、他方の第２の手摺外表面と一方の第１の手摺内面との摺動する部分の摩擦抵抗が軽減され、相対摺動可能な入れ子式に挿入されてなる引戸用手摺の動作が滑らかとなり、高齢者や足腰が不自由で手や腕の力の弱くなっている人たちにとっても、引戸用手摺が付設されている引戸や引き違い引戸により、歩行時の手助けとなると共に引戸や引き違い引戸の開閉が滑らかに軽く開閉できて便利である。
【００２４】
本発明では、相対向して配設された一対の引き違い引戸の召合せ寄りの中間部に前記引戸用手摺を上下方向に平行移動させうると共に、前記一方の手摺に嵌入する前記他方の手摺の抜け防止構造を備えてなる引戸用手摺である。これは特に長い廊下に面した襖障子や明り障子に引戸用手摺を付設された引き違い引戸を配設できる。これにより入れ子式引戸用手摺の嵌合状態が外れるような場合の面倒な組立て作業をしなくともよく、長い廊下に面した襖障子や明り障子にも手摺が設けられ、襖障子や明り障子に面した長い廊下を高齢者や手足の不自由な人達が安全に手摺につかまりながら、安全に歩行することができる。
【００２５】
本発明の引戸用手摺では、廊下側ばかりでなく、室内側の引戸や引き違い引戸にもそのまま適用できる。即ち、老朽化している一般住宅の歪みや変形や磨耗等や、敷居の中央部分が下方に下がっていたり（或いはその逆に敷居の中央部分が上方に上がっていたり）して引戸が傾いていても、引戸の厚さ方向の間隔が開いていても、その他、従来統一の建築規格が存在していなかった時代に建てられた家屋の引戸でも、その地方独特の家屋形式の引戸でも、同じ一戸の家においても引戸の厚さが異なっていたりしていても、襖障子や明り障子の室内側に引戸用手摺を水平方向に保持し配設できるために、襖障子や明り障子に面して高齢者や手足の不自由な人達が安全に引戸用手摺につかまりながら、安全に歩行することができる。  
【００２６】
本発明の引戸用手摺の引戸への取付け、取外しは、第１の支持部材においては、止めねじの着脱により容易に行える。第２の支持部材においても止めねじの着脱で容易に行うことができる。第３の支持部材においても、取付けねじ等の着脱により、容易に行うことができて便利である。
【発明を実施するための最良の形態】
【００２７】
以下、本発明の実施の形態を図面を参照しながら説明する。
【００２８】
図１は、本発明の第１の実施の形態の斜視図を示す。ここで、従来技術と同様な部分は同じ名称と番号を使用するものとする。手前側の第１の引戸２２と奥側の第２の引戸２３によりなる引き違い引戸２１に、入れ子式の引戸用手摺１を付設している。敷居３４と鴨居（図示せず）との間であって、かつ、右側柱３２Ａと左側柱３２Ｂとの間の開口３３に前記引き違い引戸２１が配置されている。前記引き違い引戸２１を構成する２枚の引戸において、前記第１の引戸２２は前記敷居３４上に設けられている第１のレール（または第１の敷居溝）３４Ａ上に案内され、同様に前記第２の引戸２３は前記敷居３４上に設けられている第２のレール（または第２の敷居溝）３４Ｂ上に案内されている。
【００２９】
この引き違い引戸２１の表面に前記引戸用手摺１が付設されている。即ち、前記引き違い引戸２１の手前側の前記第１の引戸２２の右方表面に前記引戸用手摺１を水平に取付け保持する前記第１の支持部材４が、前記第１の引戸２２の左方表面に前記引戸用手摺１の召合せ（閉鎖状態の前記引き違い引戸２１の縁と縁とが相出会い重なり合う中央部分）寄りの中間部を水平に取付け保持する第２の支持部材１１が取付けられ、奥側の前記第２の引戸２３の左方表面に前記第３の支持部材１７により前記引戸用手摺１の左端部が水平に取付け保持されている。前記引戸用手摺１は一方の第１の手摺２と他方の第２の手摺３とが入れ子式になされた構成である。
【００３０】
即ち、中空筒状（パイプ状）の前記一方の第１の手摺２の右方の一端部は手前側の前記第１の引戸２２の右方表面に前記第１の支持部材４に水平に取付けられ保持されており、召合せ（閉鎖状態の前記引き違い引戸２１の縁と縁とが相出会い重なり合う中央部分）寄りの前記一方の第１の手摺２の左端部は中空筒状（パイプ状）の開口部２Ａにより開放しており、奥側の棒状の前記他方の第２の手摺３の召合せ寄りの右方部分は、手前側の前記一方の第１の手摺２の左方端部の前記開口部２Ａから中空筒状（パイプ状）部内に嵌入し相対摺動可能な入れ子状になされており、前記一方の第１の手摺２の左方他端部の外側面を前記第２の支持部材１１に水平に保持されている。そして奥側の前記第２の引戸２３の左方表面に前記第３の支持部材１７により、前記他方の第２の手摺３の左方他端部が水平に取付けられ保持されている。
【００３１】
次に引戸用手摺１の前記第１、第２、第３の各支持部材４、１１、１７について、図に従って説明する。図２は本発明に係る前記引戸用手摺１の前記第１の支持部材４の分解斜視図を示す。前記第１の支持部材４において、前記引戸用手摺１を構成する中空筒状（パイプ状）の前記一方の第１の手摺２の右方の一端部の外側面を、嵌め込み水平に保持するため、前記第１の支持部材４が、第１の支持部材本体６と第１の取付けプレート５と段付きねじ６Ｅとから構成されている。更に、この第１の支持部材本体６は第１のブッシュ６Ａと第１の突状部材６Ｂとが逆Ｔ字形に固着されてなり、前記第１のブッシュ６Ａの右端近傍にねじ穴６Ｃを設け、前記第１の突状部材６Ｂの向こう側の先端面部にもねじ穴６Ｄを設けてある。そして前記第１の支持部材本体６の材質は金属製でも合成樹脂製でも木製でも可能である。
【００３２】
そして前記第１の取付けプレート５には中央部に座繰り穴５Ａを裏面より設け、その上下に対称的に一対の取付け穴５Ｂ、５Ｂを設け、前記第１のブッシュ６Ａには中空筒状（パイプ状）の前記一方の第１の手摺２の右方の一端部を挿入して、止めねじ７にてねじ穴６Ｃを介して、前記一方の第１の手摺２の右方の一端部に設けられた穴２Ｃに螺入させて抜け止めを図っている。後述するが前記一方の第１の手摺２の左方他端部の中空筒状（パイプ状）の開口部２Ａの内径を拡径（切削や、機械的な拡開でもよい）して、その開口部２Ａの拡大内径部内に摩擦係数の小さいブッシュ（軸受部材）２Ｂを挿着しておく。これにより嵌入される入れ子式の他方の第２の手摺３が前記一方の第１の手摺２内外に滑らかに摺動自在に摺動できる。
【００３３】
前記第１の突状部材６Ｂの向こう側の先端面部に前記第１の取付けプレート５を当接させ、裏面から前記座繰り穴５Ａと前記ねじ穴６Ｄに前記段付きねじ６Ｅを螺入させて、前記座繰り穴５Ａと前記段付きねじ６Ｅの段部とで回動自在であるが、前記ねじ穴６Ｄと前記段付きねじ６Ｅのねじ部とでは強固に取付けられていて、前記引戸用手摺１の右方端部を強力に支持している。そして、前記一方の第１の手摺２の右方の一端部を挿入し取付けられた前記第１の支持部材４は、一対の前記取付け穴５Ｂ、５Ｂに、各々前記取付けねじ８、８を用いて前記第１の引戸２２の右方表面に螺着されている。これにより左方に延在している前記引戸用手摺１が上下方向に回動しても、前記引戸用手摺１の右方の一端部は、前記第１の支持部材４にて、前記第１の引戸２２の右方において回動可能に対応するが、確実に取付け支持されている。（図１、図２参照）
【００３４】
即ち、前記第１の支持部材４の左方に延在する前記引戸用手摺１の部分が、前記敷居３４変形等により、引戸２１の傾きや上下の動きに伴い、下方向に下がったり、或は上方向に上がったりする前記引戸用手摺１の動く場合に前記第１の支持部材４が回動し対応可能であると共に、前記引戸用手摺１に歩行者がつかまったり寄りかかって力が加わっても前記引戸用手摺１の右方の一端部は、前記第１の支持部材４にて確実に取付け保持される。そして、勿論、組付け時には、前記第１の支持部材４を先に前記第１の引戸２２の右方表面に前記取付けねじ８、８にて取付けてから、前記一方の第１の手摺２の右方の一端部を前記第１の支持部材本体６に挿入し、前記止めねじ７にて取付けてもよい。前記引戸用手摺１の取外しは前記止めねじ７を取外せばよい。
【００３５】
次に、図３は、本発明に係る第２の支持部材１１の分解斜視図を示す。前記引き違い引戸１の召合せ寄りの中間部において、前記第１の引戸２２の左方表面に取付けられて前記引戸用手摺１の中間部を支持する第２の支持部材１１の説明をする。図１、図３を参照して、この第２の支持部材１１は、第２の支持部材本体１２と第２の取付けプレート１３とにより構成されている。そして、前記第２の支持部材本体１２は、第２のブッシュ１２Ａと第２の突状部材１２Ｂとが略逆Ｔ字形に固着され、更に前記第２の突状部材１２Ｂの向こう側先端面に横断面略逆Ｃ字形のチャンネル部材１２Ｃが固設されている。そして前記第２の支持部材本体１２の材質も金属製でも合成樹脂製でも木製でも可能である。
【００３６】
そして、第２の取付けプレート１３は、第２の取付けプレート本体１３Ａの中ほどに横断面略逆Ｔ字形突状部１３Ｂを、これに接してその下方に直方体部材１３Ｃをそれぞれ固設している。更に、前記第２の取付けプレート本体１３Ａの上下端部近傍に一対の取付け穴１３Ｄ、１３Ｄを設けてあり、止めねじ１４，１４にて前記第１の引戸２３の左方表面に取付ける。この第２の取付けプレート１３の前記横断面略逆Ｔ字形突状部１３Ｂに、前記第２の支持部材本体１２の横断面略逆Ｃ字形の前記チャンネル部材１２Ｃが嵌入され上下方向に移動案内され、前記第２の支持部材本体１２に下方向けの力（歩行者がつかまり寄りかかる等）が加わり降下すると前記横断面略逆Ｔ字形突状部１３Ｂに接してその下方に固着されている前記直方体部材１３Ｃに当接して前記第２の支持部材本体１２の降下は停止する。
【００３７】
このことは、上下方向に移動させうる前記支持部材１１において、前記引戸用手摺１に歩行者がつかまり寄りかかった場合等に、この支持部材１１に力が加わっても、前記チャンネル部材１２Ｃが前記直方体部材１３Ｃに当接して、降下を阻止し一定寸法以下に押さえるので、この引戸用手摺１の変形を防止できる。その結果として、この引戸用手摺１に歩行者がつかまり寄りかかってもこの引戸用手摺１が一定寸法以上降下変形しないので滑らかに伸縮摺動可能であり、前記引戸用手摺１の付設してある前記引き違い引戸２１の開閉が滑らかとなり、歩行者にとって手軽に前記引き違い引戸２１の開閉ができ、且つ、前記引戸用手摺４１につかまり寄りかかっても、歩行時の手助けとなり、且つ、安全である。
【００３８】
更に、この第２の支持部材１１において、前記第２の取付けプレート１３に固着している前記横断面略逆Ｔ字形突状部１３Ｂに、前記第２の支持部材本体１２の横断面略逆Ｃ字形の前記チャンネル部材１２Ｃが嵌入され上下方向に移動案内されうるから、老朽化している一般住宅の歪みや変形や磨耗等していたり、敷居の中央部分が下方に下がっていたり（或いはその逆に敷居の中央部分が上方に上がっていたり）して引戸や引き違い引戸が傾いていても、即ち、例えば具体的に前記引き違い引戸２１において前記第１の引戸２２と前記第２の引戸２３とが互いに片仮名のハ字形に倒れこむように傾く状態になっても（或は片仮名の逆ハ字形に倒れ開くように傾く状態になっても）、前記引戸用手摺１が前記引き違い引戸２１の召合せ部分（閉鎖状態の前記引き違い引戸２１の縁と縁とが相出会い重なり合う中央部分）寄りの前記第２の支持部材１１の前記第２の支持部材本体１２が下方に摺動案内され（或は前記第２の支持部材本体１２が上方に摺動案内され）、前記引き違い引戸２１の召合せ部分寄りの前記引戸用手摺１の手摺部材軸中心から前記第１のレール又は前記第１の敷居溝３４Ａ、或いは前記第２のレール又は前記第２の敷居溝３４Ｂの上面までの距離がＨ＋ｈ（ｈは敷居３４が下方に凹状態の場合に中央部分の下がり量で正の値とし、逆にｈは敷居３４が上方に凸状態の場合に上がり量で負の値とする。図１１参照）となっても、前記敷居３４が下方に凹状態に曲がる場合（いわゆる中だるみ状態）にも（或は、逆に上方に凸状態に曲がる場合にも）、前記第２の支持部材本体１２の横断面略逆Ｃ字形の前記チャンネル部材１２Ｃが嵌入され上下方向に移動案内され、上方（或は下方）の変化量に自動的に移動して対応修正されるので、前記引戸用手摺１の手摺部材軸中心は、強引に同一線上に配列させるように突っ張ることが無く同一直線上に保持され、この前記引き違い引戸２１に取り付け保持されている前記引戸用手摺１の曲がりの変形力が無く滑らかに伸縮自在に摺動するために、前記引き違い引戸２１は滑らかに開閉できる。
【００３９】
更に、前記直方体部材１３Ｃが前記第２の支持部材本体１２の下方への移動の制限具（ストッパ）の役割を果たす。即ち、前記第２の支持部材１１は、前記引戸用手摺１に歩行者がつかまり寄りかかっても、それ以上前記引戸用手摺１が下方へ降下するのを阻止し、制限具（ストッパ）の役割を果すので前記引戸用手摺１の下がり過ぎによる変形を防止できると共に、歩行者の安全を確保することができる訳である。
【００４０】
そして第２の支持部材本体１２の前記第２のブッシュ１２Ａには、中空筒状の前記一方の第１の手摺２の左方他端部が挿嵌される。そしてこの中空筒状（パイプ状）の一方の第１の手摺２の左方他端部の開口部２Ａの内径を拡径（切削や、機械的な拡開でもよい）して、その拡大内径部に摩擦係数の小さいブッシュ（軸受部材）２Ｂを内設する。ブッシュ（軸受部材）２Ｂはナイロンや、ポリイミドや、ポリエチレンや、４フッ化エチレン樹脂等の合成樹脂製の滑り軸受でも良いし、黒鉛や二硫化モリブデンを用いた滑り軸受でも良いし、その他、転がり軸受でもよい。そして、この中空筒状（パイプ状）の前記一方の第１の手摺２の左方他端部の前記開口部２Ａ内に内設された前記ブッシュ（軸受部材）２Ｂ内を、棒状の前記他方の第２の手摺３が滑らかに摺動案内される。これにより前記引戸用手摺１と同時に平行移動する前記引き違い引戸２１が滑らかに開閉されうる訳である。
【００４１】
そして前記第２の支持部材１１の取付けは、上下一対の取付け穴１３Ｄ、１３Ｄに止めねじ１４、１４を用いて、前記第１の引戸２２の左方表面に取付けられる。そして前記第２のブッシュ１２Ａ内に中空筒状（パイプ状）の前記第１の手摺２の左方他端部を挿着し、更に、この中空筒状（パイプ状）の前記第１の手摺２の左方他端部の開口２Ａの拡大内径部の前記ブッシュ（軸受部材）２Ｂ内に棒状の前記第２の手摺３の右方端部を嵌入して入れ子式をなす前記引戸用手摺１の中間部が前記第２の支持部材１１により保持される。そして前記引戸用手摺１の取外しは止めねじ１４を抜取ればよい。
【００４２】
次に図４は、本発明に係る第３の支持部材１７の分解斜視図を示す。この第３の支持部材１７は、第３の支持部材本体１８と第３の取付けプレート１９とにより構成されている。そして前記第３の支持部材本体１８は、第３のブッシュ１８Ａとパイプ状の第３の突状部材１８Ｂとが逆Ｔ字形に固着してなり、前記第３のブッシュ１８Ａの左方端部近傍にねじ穴１８Ｃを設け、前記第３の突状部材１８Ｂの先端部近傍側面にもねじ穴１８Ｄを設けている。そして前記第３の取付けプレート１９は、第３の取付けプレート本体１９Ａと、その第３の取付けプレート本体１９Ａの中心部に突出棒部材１９Ｂを突設すると共に、その第３の取付けプレート本体１９Ａの上下端近傍には一対の取付け穴１９Ｄ、１９Ｄを設けている。
【００４３】
そしてその突出棒部材１９Ｂの側面には溝部１９Ｃが刻設されていて、この溝部１９Ｃは前記第３の突状部材１８Ｂの先端部近傍側面の前記ねじ穴１８Ｄに対応した位置に刻設されている。そしてパイプ状の前記第３の突状部材１８Ｂの内側に前記突出棒部材１９Ｂが嵌装され、前記ねじ穴１８Ｄに取付けねじ２０Ｂを螺合させて、その先端部を前記溝部１９Ｃ内に臨ませて取付けられている。これにより前記第３の突状部材１８Ｂは前記取付けねじ２０Ｂの先端部が前記突出棒部材１９Ｂの側面に刻設されている溝部１９Ｃに案内され、前記第３の支持部材本体１８は前記突出棒部材１９Ｂに案内されて、その軸方向の平行移動が可能であり、取付けねじ２０Ｂの先端部が溝部１９Ｃに嵌入しており抜脱せず分離してしまわないようになっていて、軸方向の平行移動を案内している。これにより前記引戸用手摺２１を引戸の厚さ方向に平行移動可能とする。ところで、厚さ方向の調節手段として、薄板製の挟み金（シム）を使用することもできるが、使用枚数も一定でなく、調整作業も加わり不便である。
【００４４】
そして前記第３の支持部材本体１８の第３のブッシュ１８Ａ内に前記棒状の他方の第２の手摺３の左方他端部が挿嵌される。そして前記ねじ穴１８Ｃと前記棒状の他方の第２の手摺３の左方他端部近傍に設けた止め穴３Ａとに、取付けねじ２０Ａを螺合することにより、前記引戸用手摺１の左方端部を前記第３の支持部材１７に水平方向に保持できるのである。この場合に、前記第３の取付けプレート１９は一対の前記取付け穴１９Ｄ、１９Ｄにより前記他方の第２の引戸２３の左方表面に取付けねじ２ＯＣ，２０Ｃを用いて螺着されていることは勿論である。これにより前記第３の支持部材１７において、第３の突状部材１８Ｂと前記突出棒部材１９Ｂの相対的に平行移動可能であることは、水平方向に保持された前記引戸用手摺１の左方端部を引戸の厚さ方向に平行移動させうることを意味している。即ち、前記第３の支持部材１７は、統一規格の無かった時代の、色々な引戸の厚さに対応可能であり、前記引戸用手摺１が種種の厚さの引戸や引き違い引戸に容易に適用できる訳である。よって本発明の前記引戸用手摺１は前記第３の支持部材１７により水平方向に保持され、一種類の前記第３の支持部材１７のみにより、前記引戸用手摺１の左方端部を引戸の厚さに適合した方向に平行移動させることができ、しかも調整等も不要でコストも安く、取付けも容易で、種種の引戸や引き違い引戸に適用でき便利である。
【００４５】
本発明の引戸用手摺の引戸への取付け、取外しは、第１の支持部材４においては、止めねじ７や止めねじ８の着脱により容易に行える。第２の支持部材１１においても止めねじ１４の着脱で容易に行うことができる。第３の支持部材１７においては、取付けねじ２０Ａ，２ＯＢ，２０Ｃ等の着脱により、容易に行うことができる。
【００４６】
図５は、本発明に係る第２の実施の形態を示す分解斜視図を示す。敷居３４の左端部の左側柱３２Ｂと中間柱３２Ｃとの間の開口３３に、第２のレール（または第２の敷居溝）３４Ｂ上に案内されている第２の引戸２３が配置され、更に中間柱３２Ｃと右端部の右側柱３２Ａとの間に設けられた壁部材２９が配置されている。そして前記第２のレール（または第２の敷居溝）３４Ｂ上に案内されている前記第２の引戸２３の左方表面と右端部の前記右側柱３２Ａとの間に、入れ子式の前記引戸用手摺１が付設されている。
【００４７】
図５の本発明の第２の実施の形態は図１のものと類似しているが、しかし、後述するように、大きく相違している点がある。図５において、前記引戸用手摺１の右方の一端部は右側柱３２Ａの表面に取付けられている前記第１の支持部材４に支持されており、この引戸用手摺１は前記第１の支持部材４を中心に前記引戸用手摺１の左方が回動可能に支持されている。そして前記第２の引戸２３の閉鎖状態で、前記第２の引戸２３の左方表面に前記第３の支持部材１７により棒状の前記他方の第２の手摺３の左方他端部が取付け保持されている。そして、この棒状の前記他方の第２の手摺３の右方の一端部は、中空筒状（パイプ状）の前記一方の第１の手摺２の左方他端部の前記開口部２Ａに嵌入されている。そして、この中空筒状（パイプ状）の前記一方の第１の手摺２の左方他端部の前記開口２Ａ内に内設された前記ブッシュ（軸受部材）２Ｂ内を、棒状の前記他方の第２の手摺３が滑らかに摺動案内される。これにより前記引戸用手摺１の棒状の前記他方の第２の手摺３と同時に移動する前記第２の引戸２３が滑らかに開閉されうる訳である。
【００４８】
そして、前記開口部２Ａの外側面を中間柱３２Ｃの表面に取付けられている前記第２の支持部材１１に支持されている。そして、棒状の前記他方の第２の手摺３の左方他端部が前記第２の引戸２３の左方表面に取付けられている前記第３の支持部材１７に水平方向に保持されている。即ち、上記したように前記引戸用手摺１は右方で前記第１の支持部材４により、中間部を前記第２の支持部材１１により、左方では前記第３の支持部材１７により水平方向に保持されていることになる。そして前記支持部材４の取付け面は前記右側柱３２Ａの表面であり、前記支持部材１１の取付け面は前記中間柱３２Ｃの表面である。そして、これらに共通の取付け面として、前記右側柱３２Ａの表面と前記中間柱３２Ｃの表面とを含む平面を「取付け壁表面」と表現できる。
【００４９】
図５の本発明の第２の実施の形態は、図１のものと、大きく相違している点は、図５の前記第１および第２の支持部材４、１１の取付け面である「取付け壁表面」から前記第３の支持部材１７の取付け面である前記第２の引戸２３の表面までの距離が、図１では、前記第１および第２の支持部材４、１１の取付け面である前記第１の引戸２２の表面から前記第２の引戸２３の表面までの距離に相当する。このために、図５の「取付け壁表面」から前記第２の引戸２３の表面までの距離の方が（柱の太さが大きいため）、図１の前記第１の引戸２２の表面から前記第２の引戸２３の表面までの距離よりも圧倒的に大きいことである。そのために前記第３の支持部材１７において、第３の突状部材１８Ｂと前記突出棒部材１９Ｂの相対的に平行移動可能である機能が最大限に発揮され、水平方向に保持された前記引戸用手摺１の左方端部を引戸の厚さ方向に平行移動させて、前記引戸用手摺１が曲がらず真直ぐに前記第３の支持部材１７により支持されるので、前記引戸用手摺１が滑らかに摺動できるために、前記第２の引戸２３が滑らかに開閉できる。よって、図５における「取付け壁表面」から前記第２の引戸２３の表面までの距離が大きく変化していても、引戸の厚さ方向に移動させうる前記支持部材１７を１種類用意しておけばよく、その取扱いも容易であり、安価な引戸用手摺を供給できる。
【００５０】
更に、老朽化住宅等の理由による敷居３４の歪みや撓みにより、前記引戸用手摺１の左方他端部において前記第２の引戸２３の左方表面に前記第３の支持部材１７により支持されている位置が、手前側の前記中間柱３０及び前記右側柱３２Ａの場所（前記「取付け壁表面」）で前記第１及び第２の各支持部材１１、４により支持されている位置に比べて相対的に上方にずれた状態や、逆に下方にずれた状態にも、前記支持部材１１の前記第２の支持部材本体１２の断面略Ｃ字形の前記チャンネル部材１２Ｃに前記第２の取付けプレート本体１３Ａの断面略逆Ｔ字形突状部１３Ｂが嵌入されていて、上下方向に移動案内され、上方（或は下方）の変化量に自動的に移動して対応修正され、それと同時に前記引戸用手摺１の右方の一端部は右側柱３２Ａに取付けられている第１の支持部材４に支持されており、この引戸用手摺１は前記第１の支持部材４において前記第１の取付けプレート５の裏面からの前記座繰り穴５Ａに前記段付きねじ６Ｅを挿通させて、前記ねじ穴６Ｄに螺入させて、  前記座繰り穴５Ａと前記段付きねじ６Ｅの段部とで、前記引戸用手摺１の左方が回動可能に支持されているので、前記引戸用手摺１の手摺部材軸中心は、強引に同一線上に配列させるように突っ張ることが無く、この前記引き違い引戸２１に取り付け支持されている前記引戸用手摺１の曲がりが無いために、前記第１の手摺２の手摺部材軸中心と、前記第２の手摺３の手摺部材軸中心とは、常に同一直線上に配列されるようになり、前記一方の第１の手摺２に前記他方の第２の手摺３が嵌入して入れ子式をなす前記引戸用手摺１の伸縮が滑らかに行われる。即ち、前記引戸用手摺１の付設されている前記第２の引戸２３は滑らかに開閉できる。
【００５１】
そして、第２の支持部１１は前記したように、断面略逆Ｔ字形突状部１３Ｂに案内されているチャンネル部材１２Ｃが案内され、第１の手摺１に人がつかまり寄りかかった場合等に、第２の支持部材１１に力が加わっても、第１の手摺１はチャンネル部材１２Ｃが直方体部材１３Ｃに当接して、降下を阻止するので第１の手摺１の変形を防止できる。そして、前記直方体部材１３Ｃが前記第２の支持部材本体１２の下方への移動の制限具（ストッパ）の役割を果たす。即ち、前記第２の引戸２３に付設された前記引戸用手摺１に歩行者がつかまり、寄りかかっても、それ以上前記引戸用手摺１が下方へ降下するのを阻止し、制限具（ストッパ）の役割を果すので第１の手摺１の下がり過ぎによる変形を防止できると共に、歩行者の安全を確保することができる訳である。
【００５２】
更に、第３の支持部材１７により、中間柱３２Ｃ及び右側柱２８と、第２の引戸２３とが、建物自体の老朽化等の理由により互いに離れる方向に力が加わった場合にも第４のパイプ部材１８Ｂと棒部材１９Ｂと相対的に平行移動可能であり、位置のずれを吸収できるために、第２の引戸２６が滑らかに開閉できる。
【００５３】
次に図６は、本発明の第３の実施の態様の斜視図を示す。図６により、敷居３４の左右両端部に設けられた柱３２Ｂ、３２Ａの間の開口３３（図示せず）に、相対向して、左側半分には引き違い引戸２１が、右側半分には引き違い引戸６１が、左右対称的に配設されている。そして前記引き違い引戸２１は前面側に第１の引戸２２が、後面側に第２の引戸２３が配設されて構成されている。同様に前記引き違い引戸６１は前面側に第３の引戸６２が、後面側に第４の引戸６３が配設されて構成されている。そして、前記第１のレール（または敷居溝）３４Ａの上に前記第１の引戸２２と前記第３の引戸６２とが案内され、前記第２のレール（または敷居溝）３４Ｂ（図示せず）の上には前記第２の引戸２３と前記第４の引戸６３とが、案内されている。
【００５４】
前記引き違い引戸２１と前記引き違い引戸６１とには、中空筒状（パイプ状）の一方の第３の手摺４２に、棒状の他方の第４の手摺４３が嵌入して入れ子式をなす引戸用手摺４１が各々形成され左右対称的に、対向して水平方向に付設されている。ここでまず、前記引き違い引戸２１側について述べる。前記引き違い引戸６１側は後述する。前記開口３３（図示せず）の左側半分には前記引き違い引戸２１をなす前記第１の引戸２２の右方表面に、中空筒状（パイプ状）の一方の第３の手摺４２の右方一端部が前記第１の支持部材４により、又、前記第１の引戸２２の左方表面に、召合せ寄りの中空筒状（パイプ状）の前記一方の第３の手摺４２の左方他端部が前記第４の支持部材５１により水平に保持されており、前記第２の引戸２３の左方表面に、棒状の他方の第４の手摺４３の左方他端部が前記第３の支持部材１７により水平に保持され、この棒状の他方の第４の手摺４３の右方の一端部が召合せ寄りの中空筒状（パイプ状）の前記一方の第３の手摺４２の左方他端部の開口部４２Ａ（図６に示せず、図８参照）に嵌入して入れ子式に伸縮自在に水平に保持されている。このようにして後述する前記引戸用手摺４１の中間部は前記第４の支持部在５１により上下方向に平行移動させうると共に、前記一方の第３の手摺４２に嵌入する前記他方の第４の手摺４３の抜け防止構造を備え、且つ、ブッシュ（軸受部材）４２Ｂにより支持部材５１により水平に保持され、滑らかに摺動自在に付設されている。
【００５５】
次に、これと対称的に（図６参照）、前記引き違い引戸６１について述べる。前記開口３３（図示せず）の右側半分には引き違い引戸６１をなす前記第３の引戸６２の左方表面に、中空筒状（パイプ状）の一方の第３の手摺４２の左方一端部が前記第１の支持部材４により、又、前記第３の引戸６２の右方表面に、召合せ寄りの中空筒状（パイプ状）の前記一方の第３の手摺４２の右方他端部が前記第４の支持部材５１により水平に保持されており、前記第４の引戸６３の右方表面に、棒状の他方の第４の手摺４３の右方他端部が前記第３の支持部材１７により水平に保持され、この棒状の他方の第４の手摺４３の左方の一端部が召合せ寄りの中空筒状（パイプ状）の前記一方の第３の手摺４２の右方他端部の開口部４２Ａ（図示せず）に嵌入して入れ子式に伸縮自在に水平に保持されている。このようにして後述するように、対向して水平方向に付設されている引戸用手摺４１の中間部は前記第４の支持部材５１により、上下方向に平行移動させうると共に、前記一方の第３の手摺４２に嵌入する前記他方の第４の手摺４３の抜け防止構造を備え、且つ、ブッシュ（軸受部材）４２Ｂを介して、支持部材５１により水平に保持され、滑らかに摺動自在に付設されている。
【００５６】
そして、図６において、開口３３（図示せず）の左側半分の前記引戸用手摺４１が付設されている前記引き違い引戸２１の構成は、開口３３（図示せず）の右側半分の前記引戸用手摺４１が付設されている前記引き違い引戸６１の構成と、丁度、１８０度反対向きの対称的である。これにより右側半分においては、左側の引き違い引戸２１を右側の引き違い引戸６１と読み替え、左側の第１の引戸２２を右側の第３の引戸６２に、左側の第２の引戸２３を右側の第４の引戸６３と読み替え、左側の中空筒状（パイプ状）の第３の手摺４２に、棒状の第４の手摺４３が嵌入して入れ子式をなす引戸用手摺４１は、右側において１８０度反対向きに引戸用手摺４１が形成されており、開口３２（図示せず）における左側半分を説明すれば、前記のように読み替えれば良いので、右側半分の説明が省略できる。
【００５７】
図６において前記開口３３（図示せず）の左側半分の前記引き違い引戸２１に付設されている前記引戸用手摺４１は、図１の本発明の第１の実施の形態の前記引き違い引戸２１に付設されている前記引戸用手摺１との相違点は、図１の引き違い引戸２１は閉切った状態では、第１の引戸２２と第２の引戸２３との召合せ部分は必ず重なり合う状態である。しかし、図６の引き違い引戸２１では敷居３４が長いので第１の引戸が第２の引戸２３と離れて開口３３（図示せず）の右方へ移動してしまうことが可能である。この場合には前記引き違い引戸２１に付設されている中空筒状（パイプ状）の前記一方の第３の手摺４２に、棒状の前記他方の第４の手摺４３とが嵌入して入れ子式をなす引戸用手摺４１において、入れ子式部分の抜け防止構造がないと、安価に製作できるが、中空筒状（パイプ状）の前記一方の第３の手摺４２から、棒状の前記他方の第４の手摺４３が抜去されて引戸用手摺４１が分解して、手摺の機能をしなくなり、不便である。これを防止するため図６の本発明の第３の実施の態様がなされた訳である。即ち、図７、図８に示すような、本発明の第３の実施の形態の支持部材５１で、上下方向の平行移動可能な構造のほかに、前記引戸用手摺４１の入れ子式部分の抜け防止構造を設けてもよい。
【００５８】
その他に、後述するが図９に示すような、本発明の第５の実施の形態として前記引戸用手摺１の入れ子式部分の抜け防止構造を扉側に設けて、この前記一方の手摺に嵌入する前記他方の手摺の抜け防止構造を引戸の召合せ寄りの引戸端面部に互いに対向するように、第１のストッパ部材６４と、第２ストッパ部材６５とを取付けて、引き違い引戸２１，６６を夫々閉じた場合に、引き違い引戸２１では第１、２の引戸２２，２３間が，引き違い引戸２６では第５、第６の引戸６７，６８間が互いに離れないように前記第１のストッパ部材６４Ａと第２のストッパ部材６５Ａが互いに当接し、制限具となり、前記一方の手摺に嵌入する前記他方の手摺の抜け防止構造を形成している。そして、上下方向の平行移動可能な構造の中間部の支持部材１１と併用してもよい。これらの本発明の実施の態様により長い廊下に面した、襖障子や明り障子には引戸用手摺１や，引戸用手摺４１を対向して付設すればよく、この引戸用手摺１又は，引戸用手摺４１につかまり、長い廊下を高齢者や手足の不自由な人達が安全に歩行できる。
【００５９】
図７は、図６に示す本発明の第３の実施の形態の引き違い引戸２１に付設される引戸用手摺４１の左側半分の要部（一部破断）の斜視図を示す。図８は、本発明の第３の実施の形態に関する（図６、図７にも示す）引戸用手摺４１の召合せ寄りの中間部を保持する第４の支持部材５１の分解斜視図である。さて、第３の手摺４２に第４の手摺４３が嵌入して入れ子式をなす引戸用手摺４１において、上下方向の平行移動可能な構造と共に、前記第３の手摺４２に嵌入する前記第４の手摺４３の入れ子式の抜け防止構造を有する引戸用手摺４１を図にしたがって説明する。
【００６０】
図６、図７そして図８を参照すると、前記引き違い引戸２１に前記引戸用手摺４１が、右方で前記第１の支持部材４により、召合せ寄り中間部で前記第４の支持部材５１により、左方で前記第３の支持部材１７により水平に保持され付設されている。ここで、入れ子式の前記引戸用手摺４１において、前記第３の手摺４２の右方の一端部は手前側の前記第１の引戸２２の右方表面にて、第１の支持部材４により水平に取付けられ、保持されている。この第３の手摺４２は、前述したように第１の支持部材４の働きで、前記第１の支持部材４を中心に回動自在に支持されている。（図２参照）
【００６１】
前記第１の支持部材４の説明は、図２の本発明に係る前記引戸用手摺１の前記第１の支持部材４の分解斜視図の所でなされている。しかし、ここでは水平に保持されるのは引戸用手摺１ではなく引戸用手摺４１であり、図２の中空筒状（パイプ状）の前記一方の第１の手摺２が中空筒状（パイプ状）の前記一方の第３の手摺４２に入替わっており、その他の大部分は重複するが、その要点だけを述べる（図６参照）。図６の前記第１の支持部材４は、前記引戸用手摺４１を構成する中空筒状（パイプ状）の前記第３の手摺４２の右端部を、嵌め込み水平に保持する。前記第１の支持部材４は、第１の支持部材本体６と第１の取付けプレート５と段付きねじ６Ｅとから構成され、この第１の支持部材本体６は第１のブッシュ６Ａと第１の突状部材６Ｂとが逆Ｔ字形に固着されてなり、前記第１のブッシュ６Ａの右端近傍にねじ穴６Ｃを設け、前記第１の突状部材６Ｂの向こう側の先端面部にもねじ穴６Ｄを設けてある。（ここでは、図２中の前記第１の手摺２の代わりに前記第３の手摺４２と読み替えれば、作用効果は図２と同様である。）
【００６２】
そして前記第１の取付けプレート５の中央部に座繰り穴５Ａを裏面より設け、その上下に対称的に一対の取付け穴５Ｂ、５Ｂを設け、前記第１のブッシュ６Ａには中空筒状（パイプ状）の前記第３の手摺４２の右方の一端部を挿入し、止めねじ７にて前記ねじ穴６Ｃを介して、前記第３の手摺４２の右方の一端部に設けられた穴４２Ｃに螺入させて抜け止めを図る（図８参照、穴４２Ｃは、図２の穴２Ｃに相当する。）。そして、前記第１の突状部材６Ｂの向こう側の先端面部に前記第１の取付けプレート５を当接させ、裏面から前記座繰り穴５Ａと前記ねじ穴６Ｄに前記段付きねじ６Ｅを螺入させ、前記座繰り穴５Ａと前記段付きねじ６Ｅの段部とで回動自在としているが、前記ねじ穴６Ｄと前記段付きねじ６Ｅのねじ部とでは強固に取付けられていて、前記引戸用手摺４１の右方端部を強力に支持している。
【００６３】
そして、前記中空筒状の前記一方の第３の手摺４２の右方の一端部を挿入し取付けられた前記第１の支持部材４は、一対の前記取付け穴５Ｂ、５Ｂに、各々前記取付けねじ８、８を用いて前記第１の引戸２２の右方表面に螺着されている。これにより左方に延在している前記引戸用手摺４１が、上下方向に回動しても、前記引戸用手摺４１の右方の一端部は、前記第１の支持部材４にて、前記第１の引戸２２の右方において回動可能に対応するが確実に取付け支持されている。（図６参照）
【００６４】
即ち、前記第１の支持部材４の左方に延在する前記引戸用手摺４１が下方向に下がったり、或は上方向に上がったりする前記引戸用手摺４１の動きに回動自在に対応可能であると共に、前記引戸用手摺４１に歩行者がつかまったり寄りかかって力が加わっても前記引戸用手摺４１の右方の一端部は、前記第１の支持部材４にて確実に取付け保持されている。そのために、長い廊下や通路に面した引戸や引き違い引戸に付設された前記引戸用手摺４１により高齢者や手足の不自由な人達が安全に手摺につかまりながら、安全に歩行することができる。
【００６５】
組付け時には第１の支持部材４を先に前記第１の引戸２２の右方表面に取付けてから、中空筒状（パイプ状）の前記一方の第３の手摺４２の右方の一端部を前記第１の支持部材本体６に挿入して前記止めねじ７にて前記ねじ穴６Ｃを介して、前記一方の第３の手摺４２の右方の一端部の穴４２Ｃに螺入させて抜け止めを図って取付けてもよい。前記引戸用手摺１の取外しは前記止めねじ７を取外せばよい。
【００６６】
次に、図７、図８を参照して、手前側の前記第１の引戸２２の召合せ寄りの中空筒状（パイプ状）の前記一方の第３の手摺４２の左方他端部は開口部４２Ａを開放しており、この開口部４２Ａの内径を拡径（切削や、機械的な拡開でもよい）して、その開口部４２Ａの拡大内径部内に摩擦係数の小さいブッシュ又は軸受部材４２Ｂを内設しておく。これにより嵌入され入れ子式をなす前記棒状の他方の第４の手摺４３が前記一方の第３の手摺４２内外に滑らかに摺動自在に動作できる。そして、その開口部４２Ａの外側を前記第４の支持部材５１に水平に保持されている。
【００６７】
前記の通り図８は本発明の第３の実施の態様に係る前記第４の支持部材５１の分解斜視図を示す。前記第４の支持部材５１は、前記引き違い引戸２１の召合せ寄りの中間部にて、前記第１の引戸２２の左方表面に取付けられて前記引戸用手摺４１の中間部を水平方向に保持する。この第４の支持部材５１は、第４の支持部材本体５２と第４の取付けプレート５３とにより構成されている。そして、前記第４の支持部材本体５２は、第４のブッシュ５２Ａと第４の突状部材５２Ｂとが略逆Ｔ字形に固着され、更に前記第２の突状部材５２Ｂの向こう側先端面に横断面略逆Ｃ字形のチャンネル部材５２Ｃが固設されている。そして前記第４の支持部材本体５２の材質も金属製でも合成樹脂製でも木製でも可能である。
【００６８】
次に、第４の取付けプレート５３は、第４の取付けプレート本体５３Ａの中ほどに横断面略逆Ｔ字形突状部５３Ｂを、これに接してその下方に直方体部材５３Ｃをそれぞれ固設している。更に、前記第４の取付けプレート本体５３Ａの上下端部近傍に一対の取付け穴５３Ｄ、５３Ｄが設けてある。この第４の取付けプレート５３に固設されている前記横断面略逆Ｔ字形突状部５３Ｂに、前記第４の支持部材本体５２の横断面略逆Ｃ字形の前記チャンネル部材５２Ｃが嵌入され上下方向に移動案内される。もし前記第４の支持部材本体５２に下方向けの力が加わり降下すると前記横断面略逆Ｔ字形突状部５３Ｂに案内されてその下方に固着されている前記直方体部材５３Ｃに当接して降下は停止する。このことは、上下方向に平行移動させうる前記支持部材５１において、前記引戸用手摺４１に歩行者がつかまり寄りかかった場合等に、この支持部材５１に力が加わっても、前記チャンネル部材５２Ｃが前記直方体部材５３Ｃに当接して、降下を阻止し一定寸法以下に押さえられるので、この引戸用手摺４１の変形を防止できる。その結果として、この引戸用手摺４１に歩行者がつかまり寄りかかってもこの引戸用手摺４１が変形しないで滑らかに伸縮摺動可能であり、前記引戸用手摺４１の付設してある前記引き違い引戸２１の開閉が滑らかなので、歩行者にとって手軽に前記引き違い引戸２１の開閉ができ、且つ、前記引戸用手摺４１につかまり寄りかかれて、歩行時の手助けとなり、且つ、安全である。
【００６９】
更に、この第４の支持部材５１において、前記第４の取付けプレート５３に固設されている前記横断面略逆Ｔ字形突状部５３Ｂに、前記第４の支持部材本体５２の断面略逆Ｃ字形の前記チャンネル部材５２Ｃが嵌入され上下方向に平行移動案内されうるから、老朽化している一般住宅の敷居の歪みや変形や磨耗等によったり、敷居の中央部分が下方に下がっていたり（或いはその逆に敷居の中央部分が上方に上がっていたり）していて引戸や引き違い引戸が傾いていても、即ち、例えば具体的に引き違い引戸２１において前記第１の引戸２２と前記第２の引戸２３とが互いに片仮名のハ字形に倒れこむように傾く状態になっても（或は片仮名の逆ハ字形に倒れこむように傾く状態になっても）、前記引戸用手摺４１が引き違い引戸２１の召合せ部分（閉鎖状態の引き違い引戸２１の縁と縁とが相出会い重なり合う中央部分）寄りの第４の支持部材５１の前記第４の支持部材本体５２が下方に摺動案内され（或は前記第４の支持部材本体５２が上方に摺動案内され）、引き違い引戸２１の召合せ部分寄りの引戸用手摺１の手摺部材軸中心から第１のレール又は第１の敷居溝３４Ａ上面までの距離、或いは第２のレール又は第２の敷居溝３４Ｂ上面までの距離がＨ＋ｈ（ｈは敷居３４が下方に凹状態の場合に中央部分の下がり量で正の値とし、逆にｈは敷居３４が上方に凸状態の場合に上がり量で負の値とする。図１１参照）となっても、敷居３４が下方に凹状態に曲がる場合（いわゆる中だるみ状態）にも（或は、逆に上方に凸状態に曲がる場合にも）、前記第４の支持部材本体５２の横断面略逆Ｃ字形の前記チャンネル部材５２Ｃが嵌入され上下方向に平行移動案内され、上方（或は下方）の変化量に自動的に平行移動して対応修正され、前記引戸用手摺１の手摺部材軸中心は、強引に同一線上に配列されるように突っ張ることが無く自然に同一線上に保持され、この前記引き違い引戸２１に取り付け支持されている前記引戸用手摺４１の曲がりの変形力が無く伸縮自在に摺動できるために、前記引き違い引戸２１は滑らかに開閉できる。
【００７０】
そして、前記直方体部材５３Ｃが前記第４の支持部材本体５２の下方への移動の制限具（ストッパ）の役割を果たす。即ち、前記引戸用手摺４１に歩行者がつかまり、寄りかかっても、前記第４の支持部材５１により、それ以上前記引戸用手摺１が下方へ降下するのを阻止し、制限具（ストッパ）の役割を果すので前記引戸用手摺１の下がり過ぎによる変形を防止できると共に、歩行者の安全を確保することができる訳である。
【００７１】
更に、前記第４の支持部材本体５２の前記第４のブッシュ５２Ａには、ねじ穴５２Ｄが設けられている。そして、前記第４のブッシュ５２Ａには中空筒状（パイプ状）の前記一方の第３の手摺４２の左方他端部が挿嵌される。この中空筒状（パイプ状）の前記一方の第３の手摺４２の左方他端部の開口部４２Ａの内径を拡径（切削や、機械的な拡開でもよい）して、その拡大内径部内に摩擦係数の小さいブッシュ（軸受部材）４２Ｂを内設する。ブッシュ（軸受部材）４２Ｂはナイロンや、ポリイミドや、ポリエチレンや、４フッ化エチレン樹脂等の合成樹脂製の滑り軸受でも良いし、黒鉛や二硫化モリブデンを用いた滑り軸受でも良いし、その他、転がり軸受でもよい。これは前記ブッシュ（軸受部材）２Ｂと同様である。（図２、図３参照）
【００７２】
そして、この中空筒状（パイプ状）の前記一方の第３の手摺４２の左方他端部の前記開口部４２Ａ内に内設された前記ブッシュ（軸受部材）４２Ｂ内を、前記棒状の他方の第４の手摺４３が滑らかに摺動案内される。これにより前記引戸用手摺４１が付設されていて、前記引戸用手摺４１と同時に平行移動する前記引き違い引戸２１が滑らかに開閉されうる訳である。更に、この中空筒状（パイプ状）の前記一方の第３の手摺４２の左方他端部の前記開口部４２Ａの近傍には穴４２Ｄが設けられている。この穴４２Ｄは前記ブッシュ（軸受部材）４２Ｂの内設されている個所を避けた所が望ましいが、前記ブッシュ（軸受部材）４２Ｂが合成樹脂製の滑り軸受等の場合に抜け防止を兼ねて後述する止めねじ５５を滑り軸受４２Ｂに貫装させる位置でもよいし、前記ブッシュ（軸受部材）４２Ｂの内設されている個所を避けていて、且つ、前記ブッシュ（軸受部材）４２Ｂの抜け防止の役目を果たせる位置に穴４２Ｄを設けてもよい。
【００７３】
そして前記第４の支持部材５１の取付けは、前記第４の取付けプレート５３の上下一対の前記取付け穴５３Ｄ、５３Ｄに止めねじ５４、５４を用いて、前記第１の引戸２２の左方表面に取付けられる。そして前記したように、前記第４のブッシュ５２Ａ内に中空筒状（パイプ状）の前記一方の第３の手摺４２の左方他端部を挿着し、更に、この中空筒状（パイプ状）の前記一方の第３の手摺４２の左方他端部の開口部４２Ａの拡大内径部内の前記ブッシュ（軸受部材）４２Ｂ内に、更に、棒状の前記他方の第４の手摺４３の右方端部を嵌入して入れ子式をなす前記引戸用手摺４１の中間部が前記第４の支持部材５１により水平に、滑らかに摺動自在に保持される。
【００７４】
前記中空筒状（パイプ状）の前記一方の第３の手摺４２に棒状の前記他方の第４の手摺４３が嵌入して入れ子式をなす前記引戸用手摺４１において、中空筒状（パイプ状）の前記一方の第３の手摺４２の左方他端部の開口部４２Ａの近傍には穴４２Ｄが設けられていることは前記した。そして棒状の前記他方の第４の手摺４３には、左方他端部近傍から右方の一端部近傍にかけて、左右両端部を除きほぼ全長に渡り、溝４３Ａを刻装されている。そして、この溝４３Ａの右端部は溝端部ストッパ４３Ｂを形成している（図８参照）。そして前記第４のブッシュ５２Ａ内に前記一方の第３の手摺４２の左方他端部を挿着し、更に、この中空筒状（パイプ状）の前記一方の第３の手摺４２の左方他端部の開口部４２Ａの前記ブッシュ（軸受部材）２Ｂを介して、棒状の前記他方の第４の手摺４３の右方端部を嵌入支持して、止めねじ５５をねじ穴５２Ｄに螺入させ、その止めねじ５５の先端部を、穴４２Ｄ、溝４３Ｂに嵌挿して臨ませる（図８中の矢印Ｘ方向）。これにより止めねじ５５と溝４３Ａとにより前記一方の第３の手摺４２に嵌入する前記他方の第４の手摺４３の入れ子式の抜け防止構造を形成している。ここで、前記他方の第４の手摺４３に設ける溝４３Ａは、前記他方の第４の手摺４３が丸棒形状の場合には切込み溝でよいし、パイプ材の場合には押圧溝でも切込み溝でもよい。
【００７５】
止めねじ５５が第４のブッシュ５２Ａのねじ穴５２Ｃと第３の手摺４２の左方他端部近傍に設けられる穴４２Ｄと第４の手摺４３に設けられる溝４３Ａとに嵌入して、中空筒状（パイプ状）の一方の第３の手摺４２から棒状の他方の第４の手摺４３が抜け出ることを防止している。これにより嵌合状態が外れた場合の面倒な組立て作業をしなくともよいし、襖障子や明り障子に面した長い廊下を高齢者や手足の不自由な人達がつかまったり寄りかかっても前記一方の第３の手摺４２に嵌入する前記他方の第４の手摺４３の抜け防止構造が形成されているので、前記一方の第３の手摺４２が第４の手摺４３が抜けることが無く引戸用手摺４１につかまりながら、長い廊下を安全に歩行することができる。勿論、前記引戸用手摺４１を廊下側でなく室内側の引き違い引戸２１にも付設可能であるので、室内を安全に歩行することもできる。
【００７６】
そして、奥側の前記第２の引戸２３の左方表面に棒状の前記他方の第４の手摺４３の左方他端部を前記第３の支持部材１７の第３のブッシュ１８Ａ内に前記他方の第４の手摺４３の左方他端部を挿着し、取付けねじ２０Ａを用いてねじ穴１８Ｃと止め穴４３Ｃとに螺入することにより、前記他方の第４の手摺４３の左方他端部を前記第３の支持部材１７により水平に保持されている。前記第３の支持部材１７の構成と作用効果に付いては図４に基づいて説明された内容と同一である。（図６では、図４の前記他方の第２の手摺３の代わりに前記他方の第４の手摺４３に入替えてある。）
【００７７】
即ち、前記引き違い引戸２１に付設されている前記引戸用手摺４１が左方他端部にて前記第３の支持部材１７により水平方向に保持されていて、前記第１の引戸２２と前記第２の引戸２３とが、建物の老朽化等の理由により互いに離れる方向に力が加わった場合や引き違い引戸２１の厚さが異なっている場合でも、前記第３の突状部材１８Ｂと前記突出棒部材１９Ｂの相対的の平行移動可能であることにより、前記他方の第４の手摺４３の左方他端部を引戸の厚さ方向に平行移動可能とし、寸法差を吸収できるために、手前側の前記第１の引戸２２に付設の前記一方の第３の手摺４２の手摺部材軸中心と、奥側の前記第２の引戸２３に付設の棒状の前記他方の第４の手摺４３の手摺部材軸中心とは同一線上に位置するように保持され、入れ子式の前記引戸用手摺４１が滑らかに伸縮自在に摺動可能であるから、前記引戸用手摺４１が付設されている引き違い引戸２１を構成する第１の引戸２２と前記第２の引戸２３とが滑らかに開閉できる訳である。
【００７８】
即ち、前記第３の支持部材１７により、統一規格の無かったような色々な引戸の厚さに対応可能であり、前記引戸用手摺４１が種種の引戸や引き違い引戸に容易に適用できる訳である。よって本発明の前記引戸用手摺４１は前記第３の支持部材１７により水平方向に保持され、前記引戸用手摺４１の左方他端部を引戸の厚さ方向に平行移動させることができ、しかも調整等も不要でコストも安く、取付けも容易で、種種の引戸や引き違い引戸に適用でき便利である。
【００７９】
そして、本発明の第３の実施の態様において、引戸用手摺４１の引き違い引戸２１への取付け、取外しは、第１の支持部材４においては、止めねじ７や止めねじ８の着脱により容易に行える。第４の支持部材５１においても止めねじ５４や止めねじ５５の着脱で容易に行うことができる。そして第３の支持部材１７においては、取付けねじ２０Ａ，２ＯＢ，２０Ｃ等の着脱により、容易に行うことができる。
【００８０】
そして、老朽化住宅等の理由による敷居３４の歪みや撓みにより、奥側の第２の引戸２３が手前側の第１の引戸２２に比べ相対的に上方にずれた状態や、逆に下方にずれた状態でも、この一方の第３の手摺４２は第１の支持部材４を中心に回動自在に支持され、更に、中間部を第４の支持部材５１により取付け支持されて、前記ブッシュ（軸受部材）４２Ｂにより摩擦力を軽減されているために入れ子式の引戸用手摺４１が滑らかに伸縮自在に摺動可能であり、その結果として、前記引き違い引戸２１が滑らかに開閉可能である。
【００８１】
前記第４の支持部材５１は前述したように（図７、図８参照）、基本機能は前記第２の支持部材１１と同様であるが、第３の手摺４２に入れ子式に、嵌入されている第４の手摺４３の右方一端部が抜けないように溝端部ストッパ４３Ａと止めねじ５４による入れ子式部分の抜け防止構造（ストッパ構造）を設けている点が異なる。横断面略逆Ｔ字形突状部１３Ｂに挿着されている横断面略逆Ｃ字形のチャンネル部材５２Ｃが上下方向に案内され、引戸用手摺４１に人がつかまり寄りかかった場合等に、第４の支持部材５１に力が加わっても、前記引戸用手摺４１は横断面略逆Ｃ字形の前記チャンネル部材５２Ｃが直方体部材１３Ｃに当接して、降下を阻止されるので引戸用手摺４１の変形を防止でき、制限具（ストッパ）の役割を果すので引戸用手摺４１の下がり過ぎによる変形を防止できると共に、歩行者の安全を確保することができる訳である。
【００８２】
前記したように、柱３２Ａ、３２Ｂの間の開口３３（図示せず）の右側半分において左側半分と対称的な構成がなされており、第１の引戸２２を第３の引戸４２に、第２の引戸２３を第４の引戸４３と読み替え、中空筒状（パイプ状）の第３の手摺４２に、棒状の第４の手摺４３が嵌入して入れ子式をなす引戸用手摺４１の方向が１８０度反対向きであることを考慮すれば、左側半分は右側半分と同様な構成となり、作用効果も同様であるので、右側半分の説明は省略する。
【００８３】
よって、図６、図７、図８に従い説明したように、長い廊下に面していて、相対向して対称的に配設された一対の引き違い引戸２１、６１に、中空筒状（パイプ状）の前記一方の第３の手摺４２に棒状の他方の第４の手摺４３が嵌入して入れ子式をなす前記引戸用手摺４１、４１を対向して付設させ、各前記引戸用手摺４１の召合せ寄りの中間部にて前記第４の支持部材５１により水平方向に付設保持され、前記第４の支持部材５１において、中空筒状（パイプ状）の前記一方の第３の手摺４２から、嵌入されている棒状の前記他方の第４の手摺４３の右方一端部が抜けないように溝端部ストッパ４３Ａと止めねじ５４によるストッパ構造を設けているために、前記引戸２２が敷居３４の右方に行き過ぎても入れ子式部分は外れず（前記引き違い引戸６１では第３の引戸６２が左方に行き過ぎても入れ子式部分が外れず）、これにより入れ子式部分の嵌合状態が外れた場合のような面倒な組立て作業をしなくともよいし、襖障子や明り障子に面した長い廊下を高齢者や手足の不自由な人達がつかまったり寄りかかっても、第３の手摺４２が第４の手摺４３が抜けることが無く引戸用手摺４１につかまりながら、長い廊下を安全に歩行することができる。(図６参照)
【００８４】
更に、長い廊下に設けられた前記引戸用手摺４１に歩行者がつかまり、寄りかかっても、前記第１の支持部材４の回動作用や、第４の支持部材５１がそれ以上前記引戸用手摺４１が下方へ降下するのを阻止し、入れ子式部分の抜け防止構造（ストッパ構造）の役割を果すので引戸用手摺４１、４１の下がり過ぎによる変形を防止でき、引き違い引戸２１、６１が滑らかに開閉可能であると共に、歩行者の安全を確保することができる。そして、第３の支持部材１７により、建物自体の老朽化等の理由により互いに離れる方向に力が加わった場合にも、前記引き違い引戸２１の前記第１の引戸２や、前記第２の引戸３の引戸の厚さが異なっていたり、前記引き違い引戸６１の第５の引戸６２や、第６の引戸６３の引戸の厚さが異なっていても、第４のパイプ部材１８Ｂと棒部材１９Ｂと相対的に平行移動可能であり、位置のずれを吸収できるために、引戸用手摺４１は滑らかに伸縮自在に摺動できるので、これらの引戸用手摺４１、４１が付設してある引き違い引戸２１、６１が滑らかに開閉できる。更に、引戸の厚さ方向に移動させうる前記支持部材１７を１種類用意しておけばよく、その取扱いも容易であり、安価な引戸用手摺を供給できる。
【００８５】
次に、図９は、本発明の第４の実施の態様の斜視図である。図９に示すように、柱３２Ａ、３２Ｂの間の開口３３（図示せず）に相対向して、左側の第１の引戸２２と第２の引戸２３とよりなる引き違い引戸２１と、右側の第５の引戸６７と第６の引戸６８とよりなる引き違い引戸６６とが一対をなして配設され、これらの前記引き違い引戸２１と前記引き違い引戸６６とに、中空筒状の一方の第１の手摺２に棒状の他方の第２の手摺３が嵌入して入れ子式をなす引戸用手摺１を対向して対称的に水平方向に付設され、引き違い引戸２１と引き違い引戸６６との夫々の召合せ寄りの中間部において前記引戸用手摺１を支持し、上下方向に平行移動させうる支持部材１１を含むと共に、前記一方の第１の手摺２に嵌入する前記他方の第２の手摺３とでなす入れ子式部分の抜け防止構造を備えた引戸用手摺１である。
【００８６】
そして、前記一方の第１の手摺２に嵌入する前記他方の第２の手摺３とでなす入れ子式部分の抜け防止構造は２箇所ある。まず、図９のＹ部（拡大図）にて示す、前記引き違い引戸２１の、前記第１の引戸２２の左方下端部に、突出部６４Ａと取付け穴６４Ｂとを備えた第１のストッパ部材６４を、前記突出部６４Ａを前記第２の引戸２３側に向けて、当接しない程度に突出させて止めねじ７０により取付け、そして、前記第２の引戸２３の右方下端部に、突出部６５Ａと取付け穴６５Ｂとを備えた第２のストッパ部材６５を、前記突出部６５Ａを前記第１の引戸２２側に向けて、当接しない程度に突出させて止めねじ７０に取付けることにより構成されるものと、次に、図９のＺ部（拡大図）にて示す、前記引き違い引戸６６の、前記第５の引戸６７の右方下端部に、前記突出部６４Ａと前記取付け穴６４Ｂとを備えた前記第１のストッパ部材６４を、前記突出部６４Ａを前記第６の引戸６８側に向けて、当接しない程度に突出させて止めねじ７０により取付け、そして、前記第６の引戸６８の左方下端部に、突出部６５Ａと取付け穴６５Ｂとを備えた第２のストッパ部材６５を、前記突出部６５Ａを前記第５の引戸６７側に向けて、当接しない程度に突出させて止めねじ７０に取付けることにより構成されものの２箇所である。これにより引き違い引戸２１において、前記第１の引戸２２を右方に移動させると前記第１のストッパ部材６４と第２のストッパ部材６５とが互いの突出部６４Ａと突出部６５Ａとが当接して、前記第２の引戸２３が連結して移動し、付設されている前記引戸用手摺１の前記一方の第１の手摺２に嵌入する前記他方の第２の手摺３の入れ子部分の抜け防止構造を形成している。同様に、引き違い引戸６６において、前記第５の引戸６７を左方に移動させると前記第１のストッパ部材６４と第２のストッパ部材６５とが互いの突出部６４Ａと突出部６５Ａとが当接して、前記第６の引戸６８が連結して移動し、付設されている前記引戸用手摺１の前記一方の第１の手摺２に嵌入する前記他方の第２の手摺３の入れ子部分の抜け防止構造を形成している。
【００８７】
前記引き違い引戸２１と前記引き違い引戸６６とには、中空筒状（パイプ状）の前記一方の第１の手摺２に、棒状の前記他方の第２の手摺３が嵌入して入れ子式をなす前記引戸用手摺１が各々対向して水平方向に付設されている。ここでまず、前記引き違い引戸２１について述べる。前記開口３３（図示せず）の左側半分には前記引き違い引戸２１をなす前記第１の引戸２２の右方表面に、中空筒状（パイプ状）の前記一方の第１の手摺２の右方一端部が前記第１の支持部材４により、召合せ寄りの中空筒状（パイプ状）の前記一方の第１の手摺２の左方他端部が前記第２の支持部材１１により水平に保持され、第２の引戸２３の左方表面に、棒状の他方の第２の手摺３の左方他端部が前記第３の支持部材１７により水平に保持され、棒状の前記他方の第２の手摺３の右方の一端部が召合せ寄りの中空筒状（パイプ状）の前記一方の第１の手摺２の左方他端部の前記開口部２Ａ（図示せず）に前記ブッシュ（軸受部材）２Ｂ嵌入して入れ子式に伸縮自在に水平に保持されている。このようにして前記引戸用手摺１の中間部は前記支持部材１１により、前記引戸用手摺１を上下方向に平行移動させうると共に、前記引戸用手摺１の両端部は、左方で前記第１の支持部材４により回動自在に、右方で前記第３の支持部材１７により引戸の厚さ方向に平行移動可能に水平方向に保持され、第１のストッパ部材６４と第２ストッパ部材６５とを引戸側に設けて、前記引戸用手摺１の入れ子式部分の抜け防止構造を構成している。
【００８８】
次に、前記引き違い引戸６６について述べる（図９参照）。前記開口３３（図示せず）の右側半分には引き違い引戸６６をなす第５の引戸６７の左方表面に、中空筒状（パイプ状）の一方の第１の手摺２の左方一端部が前記第１の支持部材４により、召合せ寄りの中空筒状（パイプ状）の前記一方の第１の手摺２の右方他端部が、第５の引戸６７の右方表面に前記第２の支持部材１１により水平に保持され、棒状の他方の第２の手摺３の右方他端部が前記第３の支持部材１７により水平に保持され、棒状の前記他方の第２の手摺３の左方の一端部が召合せ寄りの中空筒状（パイプ状）の前記一方の第１の手摺２の右方他端部の開口部２Ａ（図示せず）に嵌入して入れ子式に伸縮自在に水平に保持されている。このようにして引戸用手摺１の中間部は前記引戸用手摺４１を上下方向に移動させうると共に、第１のストッパ部材６４と第２ストッパ部材６５とを引戸側に設けて、前記引戸用手摺１の入れ子式部分の抜け防止構造を構成している。
【００８９】
本発明の第４の実施の態様の引戸用手摺１の作用効果については、図１について前述したのと同様に、敷居３４上の第１のレール又は第１の敷居溝３４Ａ、第２のレール又は第２の敷居溝３４Ｂに案内されている前記引き違い引戸２１や前記引き違い引戸６６が建物自体の老朽化等の理由により、前記敷居３４の凹凸に対応して前記第１、第２の支持部材４、１１の作用効果により、また、前記引き違い引戸２１，６６の引戸厚さの違いには前記第３の支持部材１７の作用効果により、前記引戸用手摺１の直線性が確保され、位置のずれを吸収できるために、前記引戸用手摺１が滑らかに伸縮自在に摺動できるので、これら前記引戸用手摺１が付設してある前記引き違い引戸２１、６６が滑らかに開閉できると共に、
【００９０】
更に、長い廊下に設けられた前記引戸用手摺４１に歩行者がつかまり、寄りかかっても、前記第１の支持部材４の回動作用や、第２の支持部材１１がそれ以上前記引戸用手摺４１が下方へ降下するのを阻止し、そして、第３の支持部材１７により、建物自体の老朽化等の理由により互いに離れる方向に力が加わった場合にも、前記引き違い引戸２１の前記第１の引戸２や、前記第２の引戸３の引戸の厚さが異なっていたり、前記引き違い引戸６１の第５の引戸６２や、第６の引戸６３の引戸の厚さが異なっていても、第４のパイプ部材１８Ｂと棒部材１９Ｂと相対的に平行移動可能であり、位置のずれを吸収できる。そして、引き違い引戸２１，６６の夫々の下方端部に第１のストッパ部材６４と第２ストッパ部材６５とを取付けて、前記引戸用手摺１の入れ子式部分の中空筒状（パイプ状）の一方の第３の手摺４２から棒状の他方の第４の手摺４３が抜け出ることを防止している。これにより嵌合状態が外れた場合の面倒な組立て作業をしなくともよいし、襖障子や明り障子に面した長い廊下を高齢者や手足の不自由な人達がつかまったり寄りかかっても前記一方の第３の手摺４２に嵌入する前記他方の第４の手摺４３の抜け防止構造が形成されているので、前記一方の第３の手摺４２が第４の手摺４３が抜けることが無く引戸用手摺４１につかまりながら、長い廊下を安全に歩行することができる。また、本発明の引戸用手摺は、上記した実施の形態に限定されるものではなく、本発明の要旨を逸脱しない範囲において種々変更を加え得ることは勿論である。
【産業上の利用可能性】
【００９１】
本発明の引戸用手摺は、襖障子や、明障子や、建物の開口部を開閉する建具や履物箱などのキャビネットの開閉を行う引戸に広く用いられるものであり、新築家屋や、建築後数十年という老朽化住宅や、福祉施設等に好適である。
【図面の簡単な説明】
【００９２】
【図１】本発明の第１の実施の態様の斜視図。
【図２】本発明の第１の支持部の分解斜視図。
【図３】本発明の第２の支持部の分解斜視図。
【図４】本発明の第３の支持部の分解斜視図。
【図５】本発明の第２の実施の形態を示す分解斜視図。
【図６】本発明の第３の実施の態様の斜視図。
【図７】本発明の第３の実施の態様の要部の斜視図。
【図８】本発明の第３の実施の態様の要部の斜視図。
【図９】本発明の第４の実施の態様の斜視図。
【図１０】従来の引き違い引戸に引戸用手摺を取付けた平面図。
【図１１】図１０の平面図に対応する正面図。
【符号の説明】
【００９３】
１、４１…引戸用手摺、２、４２…一方の第１の手摺、３、４３…他方の第２の手
摺、４…第１の支持部材、１１…第２の支持部材、１７…第３の支持部材、２１，４１、６１，６６…引き違い引戸、２２…第１の引戸、２３…第２の引戸、５１…第４の支持部材、６２…第３の引戸、６３…第４の引戸、６７…第５の引戸、６８…第６の引戸。
【図１】
2006188828.tif 000003
【図２】
2006188828.tif 000004
【図３】
2006188828.tif 000005
【図４】
2006188828.tif 000006
【図５】
2006188828.tif 000007
【図６】
2006188828.tif 000008
【図７】
2006188828.tif 000009
【図８】
2006188828.tif 000010
【図９】
2006188828.tif 000011
【図１０】
2006188828.tif 000012
【図１１】
2006188828.tif 000013